(57)【要約】【課題】光ディスク装置内蔵タイプでチルト機構を備えた薄型映像表示装置において、チルト機構の動作によって傾いた光ディスク装置のジッタを安価かつ簡単な構成で軽減する。【解決手段】傾き検出器１８によりチルト機構の動作による本体部２の前後方向の傾きを検出し、検出結果の傾きに対応してメモリ１９から読み出した減速補正データに基づき、速度補正部１６が本体部２内のＤＶＤレコーダ６のディスク回転速度を、設定された高速回転速度から減速補正データの減速状態に減速補正し、チルト機構の動作に基づくＤＶＤレコーダ６の傾きに起因したジッタを低減する。【選択図】図１
2008108375.tif 000002
【特許請求の範囲】
【請求項１】
薄型ディスプレイを備えた薄型の本体部が前後方向のチルト機構を介してスタンド部に支持され、かつ、前記本体部に光ディスク装置を内蔵した薄型映像表示装置において、前記チルト機構による前記本体部の前後方向の傾きを検出する傾き検出手段と、前記本体部の傾きに対する前記光ディスク装置のジッタ軽減の減速補正データを保持した減速補正データ保持手段と、前記傾き検出手段の検出結果の傾きに対応する前記減速補正データ保持手段の前記減速補正データを読み出し、前記光ディスク装置のディスク回転速度を、設定された高速回転速度から、読み出した前記減速補正データの減速状態に減速補正する減速補正手段とを備えたことを特徴とする薄型映像表示装置。
【請求項２】
前記光ディスク装置のディスク復調出力のジッタを検出するジッタ検出手段と、該ジッタ検出手段の前記ジッタの検出値が減速制御の設定値以下になるときに前記減速補正手段の減速補正を禁止する減速禁止手段とを備えたことを特徴とする請求項１記載の薄型映像表示装置。
【請求項３】
前記光ディスク装置は、前記本体部に略縦置き状態に内蔵されていることを特徴とする請求項１又は２に記載の薄型映像表示装置。
【請求項４】
前記傾き検出手段の前記本体部の傾きの検出及び該検出に基づく前記減速補正手段の減速補正を、前記光ディスク装置のディスク挿入からディスク排出までくり返すことを特徴とする請求項１乃至３のいずれか１項に記載の薄型映像表示装置。
【請求項５】
前記傾き検出手段は、前記本体部の傾動にしたがって抵抗値がステップ変化する検出部と、前記抵抗値に応じた電圧データを前記本体部の傾きのデータとして出力する出力部とを備えることを特徴とする請求項１乃至４のいずれか１項に記載の薄型映像表示装置。
【発明の詳細な説明】
【技術分野】
【０００１】
本発明は、光ディスク装置内蔵タイプでチルト機構を備えた薄型映像表示装置に関し、詳しくは、チルト機構の動作によって傾いた光ディスク装置のジッタ軽減に関する。
【背景技術】
【０００２】
従来、液晶ディスプレイやプラズマディスプレイのような薄型ディスプレイを備えた薄型テレビ、薄型表示モニタ等の薄型映像表示装置には、前記薄型ディスプレイを収容した薄型の本体部を、チルト機構を介してスタンドに支持して形成されるものがある。この場合、前記チルト機構の動作により、本体部は鉛直な起立状態から前、後方向に一定角度まで傾けることが可能である。
【０００３】
更に、この種の薄型映像表示装置には、ＤＶＤレコーダやＤＶＤプレーヤ等の光ディスク装置を内蔵した光ディスク装置内蔵タイプのものがある。この光ディスク装置内蔵タイプのものは、光ディスクの反りや偏心が書き込みや読出しに極力影響しないようにすると共に薄型を確保するため、光ディスク装置が、略光ディスクを垂直な状態で挿入して排出する縦置き状態に本体部に取り付けられる。
【０００４】
ところで、前記光ディスク装置は、記録や再生の際に光ディスクをターンテーブルとクランパとによって回転自在に挟持し、スピンドルモータによりターンテーブルを例えばＺＣＬＶ方式で駆動制御して光ディスクを定速回転する。
【０００５】
このとき、光ディスクの映像や音声等の情報を極力高速に読み出してエラー処理等が時間遅れなく行なえるようにするため、光ディスクの回転速度は極力高速化することが好ましい。
【０００６】
しかしながら、光ディスクの回転を高速化する程、光ディスクの振動が大きくなって記録や再生のジッタ（ＪＩＴＴＥＲ）が増加する。しかも、前記チルト機構の動作によって光ディスク装置が前記縦置き状態から前後に傾くと、前記ジッタが更に増大する。尚、前記ジッタは、光ディスクに記録されるピット（レーザーが当てられる場所）及びランド（レーザーが当てられない場所）の長さの基準値に対するバラツキ（時間軸・回転方向の揺らぎ）を表わし、ジッタが小さい程、光ディスクの記録品位が高くなり、再生時の読み取りが容易になる。
【０００７】
そこで、高速回転可能な光ディスクドライブ装置（光ディスク装置）において、高速回転する光ディスクの振動を振動センサで検出し、光ディスクの振動が大きくなって前記振動センサの検出レベルが許容レベルより大きくなることから、光ディスクの回転速度を低下（遅く）し、高速回転に伴う記録や再生の不良を軽減することが提案されている（例えば、特許文献１参照）。
【０００８】
又、光ピックアップのフォーカスドライブ信号の最大値と最小値との平均値が光ディスクの位置によらず等しくなるように光ディスク又は光ピックアップの傾きを修正し、光ディスクと光ピックアップとを傾きのない状態（平行な状態）に保つことも提案されている（例えば、特許文献２参照）。
【特許文献１】特開平１１−３２８８３０号公報（要約書、段落［０００３］−［０００４］及び段落［００３３］−［００３６］、［００５４］、図１、図２等）
【特許文献２】特開平１１−１１０７７０号公報（段落［００１１］−［００１６］、［００２５］、図１、図３等）
【発明の開示】
【発明が解決しようとする課題】
【０００９】
前記特許文献１に記載の振動センサの振動検出レベルが許容レベルを超えるときに光ディスクの回転速度を低下する構成を、光ディスク装置内蔵タイプでチルト機構を備えたこの種の薄型映像表示装置に組み込むと、チルト機構の動作によって内蔵の光ディスク装置が傾いたときに、それに伴なう光ディスクの振動の増大に応じて光ディスクの回転速度を低下し、ジッタを軽減することが可能になると考えられる。
【００１０】
しかしながら、光ディスクの高速変化する微小振動（いわゆる面揺れの三次元振動等）を検出するには、ジャイロやレーザー光のドップラ現象等を利用する極めて精密で高価な振動センサが必要になる。
【００１１】
そして、そのような高価な振動センサをこの種の薄型映像表示装置に使用することは、コストの面等から困難であり実用的でない。
【００１２】
又、前記特許文献２に記載のように光ピックアップのフォーカスドライブ信号の平均値に基づいて光ディスク又は光ピックアップの傾きを修正する構成をこの種の薄型映像表示装置に組み込み、チルト機構の動作に伴うジッタを軽減することも考えられるが、この場合、フォーカスドライブ信号の複雑な信号処理が必要になるだけでなく、光ディスク又は光ピックアップの傾きを微妙に修正する精密な機構等も必要になってコストアップを招来し、実用的でない。
【００１３】
本発明は、光ディスク装置内蔵タイプでチルト機構を備えたこの種の薄型映像表示装置において、チルト機構の動作によって傾いた光ディスク装置のジッタを安価かつ簡単な構成で軽減することを目的とする。
【課題を解決するための手段】
【００１４】
上記の目的を達成するために、本発明の薄型映像表示装置は、薄型ディスプレイを備えた薄型の本体部が前後方向のチルト機構を介してスタンド部に支持され、かつ、前記本体部に光ディスク装置を内蔵した薄型映像表示装置において、前記チルト機構による前記本体部の前後方向の傾きを検出する傾き検出手段と、前記本体部の傾きに対する前記光ディスクのジッタ軽減の減速補正データを保持した減速補正データ保持手段と、前記傾き検出手段の検出結果の傾きに対応する前記減速補正データ保持手段の前記減速補正データを読み出し、前記光ディスク装置のディスク回転速度を、設定された高速回転速度から、読み出した前記減速補正データの減速状態に減速補正する減速補正手段とを備えたことを特徴としている（請求項１）。
【００１５】
そして、光ディスクを極力高速回転に維持するため、前記光ディスク装置のディスク復調出力の時々刻々のジッタを検出するジッタ検出手段と、該ジッタ検出手段の前記ジッタの検出値が減速制御の設定値以下になるときに前記減速補正手段の減速補正を禁止する減速禁止手段とを更に備えることが好ましい（請求項２）。
【００１６】
ところで、前記光ディスク装置は、前記本体部に略縦置き状態に内蔵されていることが実用的である（請求項３）。
【００１７】
又、前記傾き検出手段の前記本体部の傾きの検出及び該検出に基づく前記減速補正手段の減速補正を、前記光ディスク装置のディスク挿入からディスク排出までくり返すことが、制御の応答性等の面から望ましい（請求項４）。
【００１８】
更に、前記傾き検出手段は、前記本体部の傾動にしたがって抵抗値がステップ変化する検出部と、前記抵抗値に応じた電圧データを前記本体部の傾きのデータとして出力する出力部とを備える簡易な構成で形成することが実用的である（請求項５）。
【発明の効果】
【００１９】
請求項１の発明によれば、チルト機構が動作して本体部が前後方向に傾き、その傾きに連動して本体部内の光ディスク装置が傾くと、傾き検出手段は本体部の傾きを光ディスク装置の傾きとして検出する。
【００２０】
そして、傾き検出手段の検出結果の傾きに対応して減速補正データ保持手段から読み出された減速補正データに基づき、光ディスク装置のディスク回転速度を、設定された高速回転速度から読み出した減速補正データの減速状態に減速補正するため、前記チルト機構の動作に基づく光ディスク装置の傾きに起因した記録時及び再生時のジッタを低減することができる。
【００２１】
この場合、チルト機構の動作による本体部の前後方向の傾きは光ディスクの回転中の振動のような高速に変化するものではなく、前記傾き検出手段は、上述の高価な振動センサ等を設けたりすることなく、デジタル又はアナログのポテンションメータやロータリエンコーダのような安価な二次元の角度検出器等を設けて簡単に形成することができる。
【００２２】
したがって、チルト機構の動作によって傾いた光ディスク装置のジッタを、極めて安価かつ簡単な構成で軽減することができる。
【００２３】
請求項２の発明の場合は、チルト機構の動作によって本体部が傾いたとしても、ジッタ検出手段により検出されるジッタが減速制御の設定値以下になる良好な状態であれば、減速禁止手段により減速補正手段の減速補正が禁止され、光ディスク装置のディスク回転速度が前記高速回転速度に維持され、光ディスクを極力高速回転に維持しつつ安価かつ簡単な構成でジッタを低減することができる。
【００２４】
請求項３の発明の場合は、光ディスク装置が本体部に略縦置き状態に内蔵されている薄型の実用的な構成で請求項１又は２の効果を奏することができ、極めて実用的である。
【００２５】
請求項４の発明の場合は、光ディスク装置のディスク挿入からディスク排出まで本体部の傾きの検出及び該検出に基づく減速補正をくり返すため、光ディスクの再生や記録の途中にチルト機構の動作による本体部の傾きが発生しても、直ちにその傾きを検出し、検出した傾きの程度に応じて光ディスクを減速し、応答性よく効果的にジッタを低減することができる。
【００２６】
請求項５の発明の場合は、傾き検出手段に抵抗を用いた簡易で安価な具体的構成を提供することができ、この具体的構成により、チルト機構の動作による本体部の傾きを簡易かつ安価に検出して請求項１乃至４効果を奏することができる。
【発明を実施するための最良の形態】
【００２７】
次に、本発明をより詳細に説明するため、その一実施形態について、図１〜図９にしたがって詳述する。
【００２８】
図１は本発明が適用される光ディスク装置内蔵タイプのチルト機構を備えた薄型映像表示装置１の回路ブロックを示し、図２は薄型映像表示装置１のチルト動作を説明する図である。
【００２９】
図３は薄型映像表示装置１の傾き検出器１８の詳細な回路ブロック図であり、図４は動き検出器１８の本体部２側の構造説明図、図５は傾き検出器１８のスタンド部３側の構造説明図である。図６は本体部２の傾きと動き検出器１８の検出角度との関係を説明する図である。
【００３０】
図７、図８はそれぞれ本体部２の傾きに対するジッタ特性の実測例を示し、図９は減速補正の動作説明用のフローチャートである。
【００３１】
＜基本構成＞
薄型映像表示装置１は、図２に示すように薄型矩形の本体部２と、本体部２を支持するスタンド部３とからなり、スタンド部３は台座３ａと台座３ａから上方に伸びた支持脚３ｂとを有する。
【００３２】
そして、支持脚３ｂの先端部は本体部２の下部に差し込まれ、支持脚３ｂの先端部は本体部２及び支持脚３ｂを貫通する回動支軸４及び、機械式又はモータを用いた電動式の周知のチルト機構（図示せず）を介して本体部２に結合され、ユーザーが本体部２を前後方向に押し引きすることにより、本体部２は鉛直な起立状態を０度として、前、後それぞれに設定された最大角度まで傾けることができる。
【００３３】
本体部２は正面側に液晶ディスプレイ、プラズマディスプレイ等の薄型ディスプレイ５を収容し、更に、該薄型ディスプレイ５のパネル背面側に光ディスク装置の一例であるＤＶＤレコーダ６を収容して内蔵する。
【００３４】
このとき、ＤＶＤレコーダ６はいわゆるスロットインタイプであり、本体部２の内部に薄型ディスプレイ５に略平行な縦置き状態に取り付けられ、本体部２の側面に光ディスクを投入、排出する縦長のスロットイン開口６ａが形成される。又、薄型ディスプレイ５のパネル背面側のシャーシには、薄型ディスプレイ５の表示駆動回路や映像、音声の処理回路、更には、ＤＶＤレコーダ６の駆動制御や記録再生の処理回路等が設けられる。
【００３５】
そして、ＤＶＤレコーダ６は周知の縦置きのスロットインタイプのＤＶＤレコーダと同様に形成され、スロットイン開口６ａから投入された図１の光ディスク７は同図のターンテーブル８とクランパ（図示せず）とにより回転自在に挟持される。
【００３６】
そして、スピンドルモータ９によってターンテーブル８が高速回転し、この高速回転にしたがって光ディスク７も高速回転する。
【００３７】
又、光ディスク７は記録時及び再生時にディスク半径方向に移動するピックアップユニット１０によりターンテーブル８側（裏面側）からレーザ光が照射され、映像、音声等の情報の書き込み及び読み出しが行なわれる。このとき、光ディスク７とピックアップユニット１０とは平行であることが望ましいが、光ディスク７が反りや偏重心等によって振動等し、必ずしも平行になるとは限らない。
【００３８】
次に、記録時及び再生時に光ディスク７の反射レーザ光の受光に基づいて得られたピックアップユニット１０のＲＦ信号（デジタルの高周波信号）は、復調部１１で復調処理される。
【００３９】
そして、再生時は前記復調処理で得られたデジタルの復調信号が映像・音声処理部１２により再生処理されてデジタル又はアナログの映像信号、音声信号に加工される。
【００４０】
さらに、前記映像信号が表示駆動部１３に供給され、該表示駆動部１３により薄型ディスプレイ５が表示駆動されて、薄型ディスプレイ５に再生映像が画面表示される。
【００４１】
又、前記音声信号が音声出力部１４を通ってスピーカ（図示せず）等から音声出力される。
【００４２】
一方、記録時及び再生時に前記ＲＦ信号のビット周期のデータが復調部１１からシステム制御部１５に供給され、システム制御部１５がそのビット周期の変動に応じた駆動制御出力を速度補正部１６を介してサーボ部１７に供給し、サーボ部１７がスピンドルモータ９を例えばＺＣＬＶ方式のフィードバック制御で高速駆動し、光ディスク７を線速度一定で高速回転する。
【００４３】
＜本体部２の傾き検出＞
次に、チルト機構により本体部２が前後方向に傾くと、その内部のＤＶＤレコーダ６も連動して鉛直な起立状態から前後方向に傾く。このとき、光ディスク７の偏心等の影響が大きくなってジッタは増加する。
【００４４】
そして、本体部２が前後方向に傾くことに起因するＤＶＤレコーダ６の記録及び再生のジッタを軽減するため、本体部２に図１の傾き検出器１８を備える。
【００４５】
傾き検出器１８は本発明の傾き検出手段を形成し、デジタル又はアナログのポテンションメータやロータリエンコーダのような安価な周知の角度検出器等によって形成することができる。
【００４６】
そして、本実施形態の場合、傾き検出器１８は図３に示す極めて簡易な角度検出器により形成される。
【００４７】
図３において、１８ａは本体部２の前後方向の傾動にしたがって抵抗値がステップ変化する検出部、１８ｂは検出部１８ａの抵抗値に応じた電圧データを本体部２の傾きのデータとして出力する出力部である。
【００４８】
［検出部１８ａ］
検出部１８ａは、例えば抵抗値が順に異なる９個の抵抗Ｒ１〜Ｒ９の一端を正電源端子＋Ｂに接続し、本体部２の前後の傾動に連動して回動する９接点の切り替えスイッチＳＷに各抵抗Ｒ１〜Ｒ９の他端を接続して形成される。
【００４９】
切り替えスイッチＳＷは、図４に示すように本体部２の回転支軸４近傍の内面側に固定電極の切り替え片ａを取り付け、図５に示すようにスタンド部３の支持脚３ｂの回転支軸４近傍の表面側に回転支軸４を扇形に囲むように例えば９個の固定電極の接片ｂ１〜ｂ９を取り付けて形成される。
【００５０】
そして、接片ｂ１〜ｂ９に各抵抗Ｒ１〜Ｒ９の他端が接続され、本体部２が前後に傾動すると、切り替え片ａが各接片ｂ１〜ｂ９に択一的に順に接触して切り替る。
【００５１】
ところで、本実施形態の本体部２は、起立状態（大地に対して垂直な状態）を傾斜角度０度として、チルト機構の動作によって前側に最大３０度、後側に最大４５度傾く。尚、以降においては、前側の傾きには負符号「−」を付けて後側の傾きと区別する。
【００５２】
そして、本実施形態の場合、種々の実験等に基づき、本体部２の−３０度、−２０度、−１０度、０度、１０度、２０度、３０度、４０度、４５度の各傾斜角度の傾きを検出して後述の減速補正をステップ状に行なう。
【００５３】
そのため、接片ｂ１〜ｂ９は、図６に示す＃１〜＃９の各角度の位置に取り付けられる。
【００５４】
［出力部１８ｂ］
出力部１８ｂは図３に示すように、例えばＯＰアンプ１８１及びその帰還抵抗Ｒ０とＡ／Ｄ変換器１８２を有し、ＯＰアンプ１８１の反転入力端子（−）に切り替えスイッチＳＷの切り替え片ａが接続される。
【００５５】
そして、ＯＰアンプ１８１の出力電圧が抵抗Ｒ１〜Ｒ９の抵抗値に比例して変化し、ＯＰアンプ１８１の出力電圧（又はその絶対値電圧）をＡ／Ｄ変換器１８２でデジタル変換して本体部２の傾きのデータを形成し、図１の速度補正部１６に出力する。
【００５６】
＜減速補正＞
次に、傾き検出器１８の検出に基づく光ディスク７の回転速度の減速補正について説明する。
【００５７】
まず、種々の実験等から、チルト機構により本体部２が前後方向に傾いたときに、傾斜角度が０度の回転速度を基準（１倍）として、例えば次の表１に示す割合（比率）で光ディスク７の回転速度を傾斜角度に応じて減速することが、ジッタ軽減効果の面から好ましいことが判明した。
【００５８】
【表１】
2008108375.tif 000003
【００５９】
そして、速度補正部１６は本発明の減速補正手段を形成し、傾き検出器１８の＃１〜＃９の傾きのデータが入力されると、入力された傾きのデータに対応する前記表１の減速比のデータを本体部２の傾きに対する光ディスク７のジッタ軽減の減速補正データとして、本発明の減速補正データ保持手段を形成するメモリ１９から読み取り、システム制御部１５からサーボ部１７に供給される駆動制御出力、具体的には例えばＰＷＭ制御出力のパルス幅を、前記減速比にしたがって減少補正する。該減少補正により、スピンドルモータ９は傾き検出器１８が検出する本体部２の傾きに応じて減速し、光ディスク７の回転速度が本来の高速回転から低速回転に減速する。
【００６０】
ところで、復調部１１は本発明のジッタ検出手段を備え、該ジッタ検出手段は、周知のＤＶＤレコーダのジッタ検出手段と同様に構成され、記録時及び再生時の読み取りエラー率の検出処理、ＲＦ信号のタイムインターバルアナライザ処理（ＴＩＡ処理）等から、ディスク復調出力の時々刻々のジッタを検出する。
【００６１】
そして、本体部２の前後方向の傾きに対して、速度補正部１６の減速補正を行なわない高速回転維持の場合と、速度補正部１６の減速補正を行なう低速回転制御の場合とについて、復調部１１のジッタ特性を測定したところ、図７及び表２の実測結果１、図８及び表３の実測結果２を得た。尚、図７、図８において、実線Ｈが高速回転維持の場合の特性であり、実線Ｌが低速回転制御の場合の特性である。
【００６２】
【表２】
2008108375.tif 000004
【００６３】
【表３】
2008108375.tif 000005
【００６４】
図７、図８及び表２、表３から明らかなように、本体部２の前後方向の傾きに対して速度補正部１６の減速補正を施すと、ジッタが低減補正されて光ディスク７の記録及び再生の品質が向上することが確かめられた。
【００６５】
そして、本体部２の傾斜角度に応じて無条件に速度補正部１６の減速補正を施すようにしても、チルト機構の動作によって傾いたＤＶＤレコーダ６の記録、再生のジッタを低減することができ、本体部２の前後方向の傾きを抵抗値のステップ変化で検出する安価で簡易な構成でジッタ低減を実現できる。
【００６６】
しかしながら、本実施形態においては、後段の処理負担等を考慮して光ディスク７を極力高速回転に維持しつつジッタを軽減するため、システム制御部１５に本発明の減速禁止手段を備える。
【００６７】
そして、前記減速禁止手段は前記ジッタ検出手段のジッタの検出値Ｊ［％］が減速制御の設定値以下になるときに、減速補正手段である速度補正部１６の減速補正を禁止する。
【００６８】
具体的には、図７、図８及び表２、表３の実測結果等によると、ジッタが１１［％］以下であれば、高速回転維持の場合と低速回転制御の場合とのジッタ特性は略同じになる。そこで、前記減速禁止手段は減速制御の設定値として１１［％］が設定され、チルト機構の動作によって本体部２が傾いても、ジッタ検出手段のジッタの検出値Ｊが１１［％］以下になる良好な状態であれば、速度補正部１６の減速制御を禁止する。
【００６９】
したがって、本実施形態の場合、光ディスク７を極力高速回転に維持しつつ、安価かつ簡単な構成でチルト機構の動作に起因したＤＶＤレコーダ６の記録時及び再生時のジッタを低減することができる。
【００７０】
ところで、復調部１１、システム制御部１５、速度補正部１６、サーボ部１７は例えば１チップのマイクロコンピュータやＡＳＩＣによって形成され、ソフトウエア処理で実現される。
【００７１】
そして、速度補正部１６による減速補正の処理は、例えば図９のステップＳ１〜Ｓ８の減速補正処理プログラムを、ＤＶＤレコーダ６のディスク挿入（スロットイン）からディスク排出までの記録、再生の制御期間実行して行なわれる。この場合、前記制御期間に本体部２の傾きの検出及び減速補正がくり返され、最新の検出結果に基づいて必要な減速補正が行なわれる。
【００７２】
すなわち、光ディスク７が記録又は再生を行なうためにＤＶＤレコーダ６に挿入され、記録又は再生の制御が開始されると、ステップＳ１からステップＳ２に移行し、速度補正部１６が傾き検出器１８の検出結果の傾きを読み取る。
【００７３】
そして、ステップＳ２からステップＳ３に移行し、速度補正部１６が前記傾きに応じた減速比の減速制御を実行する。
【００７４】
更に、ステップＳ４に移行してシステム制御部１５が復調部１１のジッタの検出値Ｊを読み取り、ステップＳ５により、検出値ＪがＪ≦１１［％］か否かを判断する。
【００７５】
そして、Ｊ≦１１［％］であれば、ステップＳ５からステップＳ６に移行して速度補正部１６の減速補正を禁止し、光ディスク７を本来の高速回転の状態に戻し、記録又は再生の制御が終了するまで、ステップＳ６からステップＳ７を通ってステップＳ２に戻り、処理をくり返す。
【００７６】
一方、Ｊ＞１１［％］であれば、速度補正部１６の減速補正を維持しつつステップＳ５からステップＳ８を通ってステップＳ２に戻り、処理をくり返す。
【００７７】
この場合、ＤＶＤレコーダ６のディスク挿入からディスク排出まで本体部２の傾きの検出及びジッタの検出をくり返して最新の検出結果に基づいて光ディスク７の減速補正を施すため、光ディスク７の再生や記録の途中にチルト機構の動作による本体部２の傾きが発生しても、直ちにその傾きを検出し、検出した傾きの程度に応じて光ディスク７を減速することができ、しかも、時々刻々のジッタの大きさに基づき、光ディスク７を極力高速回転に維持しつつジッタを低減することができる利点も生じる。
【００７８】
そして、本発明は上記した実施形態に限定されるものではなく、その趣旨を逸脱しない範囲において上述したもの以外に種々の変形実施を行なうことが可能であり、例えば、傾き検出手段は、デジタル又はアナログのポテンションメータやロータリエンコーダのような安価な種々の角度検出器等の構成であってよいのは勿論であり、それ以外の構成であってもよい。
【００７９】
又、本体部２のチルト機構はどのような構成であってもよく、チルト機構による本体部２の前後方向の傾きの角度（傾斜角度）の最大値等も前記実施形態に限られるものではない。
【００８０】
更に、本体部２の傾きに対する光ディスク７のジッタ軽減の減速補正データ（減速比）は、実験等に基づき、良好な軽減効果が得られるように適当に設定すればよい。
【００８１】
又、スピンドルモータ９の本来の高速回転速度等は設計条件や実験等に基づいて適当に設定してよいのは勿論であり、ジッタ検出手段がどのような手法でジッタを検出してもよいのも勿論である。
【００８２】
次に、本体部２内のＤＶＤレコーダ６の取り付け位置は前記実施形態の位置に限られるものではなく、本体部２内の任意の位置であってよいのは勿論である。又、ＤＶＤレコーダ６の取り付け状態は、多少は前後に傾いた状態であってもよい。
【００８３】
更に、本体部２にＤＶＤレコーダ６に代えて、ＤＶＤプレーヤ、ＣＤプレーヤ等の他の種々の光ディスク装置を内蔵してもよいのは勿論である。
【００８４】
そして、本発明は、ＤＶＤ、ＣＤのレコーダ又はプレーヤ等の種々の光ディスクの記録再生装置又は再生装置を光ディスク装置として、該光ディスク装置を内蔵し、チルト機構を備えた種々の薄型映像表示装置に適用することができる。
【図面の簡単な説明】
【００８５】
【図１】本発明の一実施形態の薄型映像表示装置の回路ブロック図である。
【図２】同上、薄型映像表示装置のチルト動作を説明する図である。
【図３】同上、薄型映像表示装置の傾き検出器の詳細な回路ブロック図である。
【図４】同上、動き検出器の本体部側の構造の説明図である。
【図５】同上、傾き検出器のスタンド部側の構造の説明図である。
【図６】同上、本体部の傾きと動き検出器の接点位置との関係の説明図である。
【図７】同上、本体部の傾きに対するジッタ特性の一例の実測図である。
【図８】同上、本体部の傾きに対するジッタ特性の他の例の実測図である。
【図９】同上、減速補正の動作説明用のフローチャートである。
【符号の説明】
【００８６】
２    本体部
３    スタンド部
５    薄型ディスプレイ
６    ＤＶＤレコーダ
１１    復調部
１５    システム制御部
１６    速度補正部
１８    傾き検出器
１８ａ    検出部
１８ｂ    出力部
１９    メモリ
【図１】
2008108375.tif 000006
【図２】
2008108375.tif 000007
【図３】
2008108375.tif 000008
【図４】
2008108375.tif 000009
【図５】
2008108375.tif 000010
【図６】
2008108375.tif 000011
【図７】
2008108375.tif 000012
【図８】
2008108375.tif 000013
【図９】
2008108375.tif 000014